(57)【要約】【課題】  未認証の加入者側装置が論理リンクの確立時に利用する帯域が無駄に使用されていた。【解決手段】  複数の加入者側装置と、加入者側装置と通信を行う局側装置とを有する伝送システムにおいて、加入者側装置は、局側装置に論理リンクの確立を要求し、局側装置は、論理リンクの確立を要求する加入者側装置の識別情報が予め登録されている場合に加入者側装置を認証し、認証した加入者側装置との間で論理リンクを確立することを特徴とする。【選択図】図５
2015173317.tif 000002
【特許請求の範囲】
【請求項１】
複数の加入者側装置と、前記加入者側装置と通信を行う局側装置とを有する伝送システムにおいて、
前記加入者側装置は、前記局側装置に論理リンクの確立を要求し、
前記局側装置は、論理リンクの確立を要求する前記加入者側装置の識別情報が予め登録されている場合に前記加入者側装置を認証し、認証した前記加入者側装置との間で論理リンクを確立する
ことを特徴とする伝送システム。
【請求項２】
請求項１に記載の伝送システムにおいて、
前記局側装置は、論理リンクが確立していない前記加入者側装置に対して、通信帯域を割り当てない
ことを特徴とする伝送システム。
【請求項３】
請求項１または２に記載の伝送システムにおいて、
前記局側装置は、ＰＯＮシステムのＯＬＴであり、
前記加入者側装置は、ＰＯＮシステムのＯＮＵであり、
前記ＯＮＵは、前記ＯＬＴがブロードキャストで送信するDiscovery Gateフレームを受信した時に、自装置のＭＡＣアドレスを含むRegister Requestフレームを前記ＯＬＴに送信し、前記ＯＬＴから論理リンク識別子を含むRegisterフレームを受信して論理リンクを確立し、
前記ＯＬＴは、新たに登録しようとする前記ＯＮＵを発見するためのDiscovery Gateフレームを周期的にブロードキャストし、予め設定された所定期間内に受け付けた前記Register Requestフレームの送信元の前記ＯＮＵのＭＡＣアドレスがデータベースに予め登録されている場合に当該ＯＮＵを認証し、認証された前記ＯＮＵに対して前記論理リンク識別子を含む前記Registerフレームを送信して論理リンクを確立する
ことを特徴とする伝送システム。
【請求項４】
複数の加入者側装置と通信を行う局側装置において、
前記加入者側装置の識別情報が予め登録されたデータベースと、
論理リンクの確立を要求する前記加入者側装置の識別情報が前記データベースに登録されている場合に、当該加入者側装置を認証する認証管理部と、
前記認証管理部が認証した前記加入者側装置との間で論理リンクを確立する接続処理部と
を有することを特徴とする局側装置。
【請求項５】
請求項４に記載の局側装置において、
論理リンクが確立された前記加入者側装置に通信帯域を割り当て、論理リンクを確立されていない前記加入者側装置に通信帯域を割り当てないように制御する制御部を更に有する
ことを特徴とする局側装置。
【請求項６】
請求項４または５に記載の局側装置において、
前記局側装置は、ＰＯＮシステムのＯＬＴであり、
前記加入者側装置は、ＰＯＮシステムのＯＮＵであり、
前記接続処理部は、新たに登録しようとする前記ＯＮＵを発見するためのDiscovery Gateフレームを周期的にブロードキャストし、予め設定された所定期間内に受信するRegister Requestフレームを受け付け、
前記認証管理部は、前記Register Requestフレームの送信元の前記ＯＮＵの識別情報が前記データベースに登録されている場合に当該ＯＮＵを認証し、
前記接続処理部は、前記認証管理部により認証された前記ＯＮＵに対して論理リンク識別子を含むRegisterフレームを送信して論理リンクを確立する
ことを特徴とする局側装置。
【請求項７】
複数の加入者側装置と、前記加入者側装置と通信を行う局側装置とを有する伝送システムにおける帯域制御方法であって、
前記加入者側装置は、前記局側装置に論理リンクの確立を要求し、
前記局側装置は、論理リンクの確立を要求する前記加入者側装置の識別情報が予め登録されている場合に前記加入者側装置を認証し、認証した前記加入者側装置との間で論理リンクを確立する
ことを特徴とする帯域制御方法。
【請求項８】
請求項７に記載の帯域制御方法において、
前記局側装置は、論理リンクが確立していない前記加入者側装置に対して、通信帯域を割り当てない
ことを特徴とする帯域制御方法。
【請求項９】
請求項７または８に記載の帯域制御方法において、
前記局側装置は、ＰＯＮシステムのＯＬＴであり、
前記加入者側装置は、ＰＯＮシステムのＯＮＵであり、
前記ＯＮＵは、前記ＯＬＴがブロードキャストで送信するDiscovery Gateフレームを受信した時に、自装置のＭＡＣアドレスを含むRegister Requestフレームを前記ＯＬＴに送信し、前記ＯＬＴから論理リンク識別子を含むRegisterフレームを受信して論理リンクを確立し、
前記ＯＬＴは、新たに登録しようとする前記ＯＮＵを発見するためのDiscovery Gateフレームを周期的にブロードキャストし、予め設定された所定期間内に受け付けた前記Register Requestフレームの送信元の前記ＯＮＵのＭＡＣアドレスがデータベースに予め登録されている場合に当該ＯＮＵを認証し、認証された前記ＯＮＵに対して前記論理リンク識別子を含む前記Registerフレームを送信して論理リンクを確立する
ことを特徴とする帯域制御方法。
【発明の詳細な説明】
【技術分野】
【０００１】
本発明は、伝送システム、局側装置、及び帯域制御方法に関する。
【背景技術】
【０００２】
光ファイバーを用いたアクセス系の通信システムとしてＰＯＮ(Passive Optical Network)システムが利用されている。ＰＯＮシステムは、ＯＬＴ(Optical Line Terminal：局側装置)とＯＮＵ(Optical Network Unit：加入者側装置)との間を１対n(nは２以上の整数)で接続するダブルスター方式の伝送システムである。
【０００３】
ＰＯＮシステムにおいて、ＯＬＴとＯＮＵは、Ｐ２ＭＰ(Point to MultiPoint)ディスカバリと呼ばれる機能によって論理リンクを確立する。そして、ＯＬＴは、論理リンクが確立されたＯＮＵに対してGateフレームを周期的に送信し、ＯＮＵは、次にフレームを送信するための帯域を要求するReportフレームをＯＬＴに送信する（例えば、特許文献１参照）。
【先行技術文献】
【特許文献】
【０００４】
【特許文献１】特開２００４−１３４９７２号公報
【発明の概要】
【発明が解決しようとする課題】
【０００５】
ＯＬＴは、接続予定のＯＮＵのシリアル番号などを予め登録して管理し、登録されたＯＮＵを認証して帯域を割り当てる制御を行っている。ところが、未認証のＯＮＵに対しても論理リンクが確立されて維持されるため、ＯＬＴと未認証のＯＮＵとの間で周期的に送受信されるGateフレームとReportフレームによる制御シーケンスの帯域が浪費されるという問題がある。
【０００６】
本件開示の伝送システム、局側装置、及び帯域制御方法は、未認証の加入者側装置が利用する帯域を削減する技術を提供することを目的とする。
【課題を解決するための手段】
【０００７】
一つの観点によれば、複数の加入者側装置と、加入者側装置と通信を行う局側装置とを有する伝送システムにおいて、加入者側装置は、局側装置に論理リンクの確立を要求し、局側装置は、論理リンクの確立を要求する加入者側装置の識別情報が予め登録されている場合に加入者側装置を認証し、認証した加入者側装置との間で論理リンクを確立することを特徴とする。
【０００８】
一つの観点によれば、複数の加入者側装置と通信を行う局側装置において、加入者側装置の識別情報が予め登録されたデータベースと、論理リンクの確立を要求する加入者側装置の識別情報がデータベースに登録されている場合に、当該加入者側装置を認証する認証管理部と、認証管理部が認証した加入者側装置との間で論理リンクを確立する接続処理部とを有することを特徴とする。
【０００９】
一つの観点によれば、複数の加入者側装置と、加入者側装置と通信を行う局側装置とを有する伝送システムにおける帯域制御方法であって、加入者側装置は、局側装置に論理リンクの確立を要求し、局側装置は、論理リンクの確立を要求する加入者側装置の識別情報が予め登録されている場合に加入者側装置を認証し、認証した加入者側装置との間で論理リンクを確立することを特徴とする。
【発明の効果】
【００１０】
本件開示の伝送システム、局側装置、及び帯域制御方法は、未認証の加入者側装置が利用する帯域を削減することができる。
【図面の簡単な説明】
【００１１】
【図１】ＰＯＮシステムの一例を示す図である。
【図２】ＯＬＴの一例を示す図である。
【図３】ＯＮＵの一例を示す図である。
【図４】比較例として、ＯＬＴとＯＮＵとの間で論理リンクを確立する処理の一例を示す図である。
【図５】本実施形態におけるＯＬＴとＯＮＵとの間で論理リンクを確立する処理の一例を示す図である。
【図６】ＯＬＴの処理の一例を示す図である。
【図７】比較例として、論理リンクが確立された後の処理の一例を示す図である。
【図８】本実施形態に係るＰＯＮシステムにおける論理リンクが確立された後の処理の一例を示す図である。
【発明を実施するための形態】
【００１２】
以下、図面を用いて実施形態を説明する。
［ＰＯＮシステム１００］
図１は、ＰＯＮシステム１００の一例を示す。図１において、ＰＯＮシステム１００は、ＯＬＴ１０１と、光カプラ１０２と、ＯＮＵ１０３ａ，１０３ｂおよび１０３ｃとを有する。そして、ユーザ端末１０４ａ、１０４ｂおよび１０４ｃがＯＮＵ１０３ａ，１０３ｂおよび１０３ｃにそれぞれ接続されている。尚、ＯＮＵ１０３ａ，１０３ｂおよび１０３ｃは、同一または同様の機能を有する。そこで、以降の説明において、ＯＮＵ１０３ａ，１０３ｂおよび１０３ｃに共通の事項を説明する場合、符号末尾のアルファベットを省略して、ＯＮＵ１０３と表記する。また、ユーザ端末１０４ａ、１０４ｂおよび１０４ｃについても、共通の事項を説明する場合、符号末尾のアルファベットを省略して、ユーザ端末１０４と表記する。
【００１３】
図１において、ＯＬＴ１０１は、光カプラ１０２を介して、複数のＯＮＵ１０３を収容する。図１の例では、ＯＮＵ１０３は、ＯＮＵ１０３ａ，１０３ｂおよび１０３ｃの３台であるが、例えば３２台、１２８台など、複数のＯＮＵ１０３がＯＬＴ１０１に接続される。
【００１４】
ＯＬＴ１０１は、１本の光ファイバで複数のＯＮＵ１０３を収容する。ＯＬＴ１０１は、ＯＮＵ１０３への下り方向のフレームを時分割多重して全てのＯＮＵ１０３に送信する。また、ＯＬＴ１０１は、各ＯＮＵ１０３が送信する上り方向のフレームが衝突しないように、通信帯域（送信開始時刻と送信データ量（又は送信期間）など）を制御する。尚、接続予定のＯＮＵ１０３の識別子（ＭＡＣアドレスなどのシリアル番号）がＯＬＴ１０１に予め登録されている。そして、ＯＬＴ１０１は、ＰＯＮシステム１００に新たに接続されたＯＮＵ１０３との間で論理リンクを確立し、ＯＮＵ１０３との接続を管理する。ここで、本実施形態に係るＰＯＮシステム１００は、接続を要求するＯＮＵ１０３の識別子が予めＯＬＴ１０１に登録されているＯＮＵ１０３を認証して論理リンクを確立する。そして、ＯＬＴ１０１は、論理リンクが確立されたＯＮＵ１０３に対して通信帯域を割り当て、未認証の論理リンクが確立されていないＯＮＵ１０３に対しては通信帯域を割り当てない。これにより、本実施形態に係るＰＯＮシステム１００は、未認証のＯＮＵ１０３が使用する通信帯域を削減することができ、認証済のＯＮＵ１０３の通信帯域として有効に利用することができる。尚、ＯＬＴ１０１とＯＮＵ１０３との間で行われる処理は、後で詳しく説明する。
【００１５】
ＯＮＵ１０３は、他のＯＮＵ１０３が送信するフレームと重ならないように、ＯＬＴ１０１が割り当てる通信帯域で上りフレームを送信する。ここで、先に説明したように、ＯＬＴ１０１がＯＮＵ１０３に割り当てる通信帯域は、例えば、送信開始時刻や送信データ量などの情報である。そして、ＯＬＴ１０１は、他のＯＮＵが送信する時刻と重複しないように、フレームの送信を開始する時刻（送信開始時刻）と、送信するデータの容量（送信データ量）とを各ＯＮＵ１０３に指定する。尚、送信データ量は、通信速度（１０Ｇｂｐｓなど）が決まっているので、データの送信を終了するまでの期間（送信期間）に相当する。従って、ＯＬＴ１０１は、送信開始時刻と送信データ量とを各ＯＮＵに指定することにより、他のＯＮＵが送信するフレームと衝突しないように管理することができる。
【００１６】
ここで、ＰＯＮシステム１００に接続されるＯＮＵ１０３は、ＯＬＴ１０１に予め登録されている。そして、ＯＬＴ１０１は、ＰＯＮシステム１００に新たにＯＮＵ１０３が接続された場合に、ＯＮＵ１０３から送信される識別子（以降の説明ではＭＡＣ(Media Access Control)アドレスとする）が予め登録されたＭＡＣアドレスに合致するか否かを判別する。そして、ＯＬＴ１０１は、予め登録されたＭＡＣアドレスに合致するＯＮＵ１０３を認証して論理リンクを確立する。
【００１７】
このようにして、本実施形態に係るＰＯＮシステム１００は、ユーザ端末１０４が接続される認証されたＯＮＵ１０３とＯＬＴ１０１との間に論理リンクを確立して、ユーザ端末１０４と上位網との間でユーザフレームを送受信することができる。
【００１８】
図２は、ＯＬＴ１０１の一例を示す。図２において、ＯＬＴ１０１は、ＯＮＵ側通信部２０１と、制御部２０２と、上位網側通信部２０３と、接続処理部２０４と、ＤＢ(Data Base)２０５と、認証管理部２０６とを有する。
【００１９】
ＯＮＵ側通信部２０１は、ＰＯＮ規格に準拠してＯＮＵ１０３と通信を行うための回路で、送信データを予め決められた波長の光信号に変換して光カプラ１０２に接続される光ファイバに出力する。逆に、ＯＮＵ側通信部２０１は、光カプラ１０２側から受信する予め決められた波長の光信号から受信データを復調する。ここで、ＯＬＴ１０１からＯＮＵ１０３への下り方向の光信号と、ＯＮＵ１０３からＯＬＴ１０１への上り方向の光信号とは、互いに波長が異なる。また、各ＯＮＵ１０３は、上り方向の同じ波長の光信号をＯＬＴ１０１から指示するタイミングでバースト的に送信する。
【００２０】
制御部２０２は、ＣＰＵ(Central Processing Unit)を有し、予め記憶されたプログラムに従って動作し、ＯＬＴ１０１全体を制御する。例えば、制御部２０２は、各ＯＮＵ１０３から受信するデータの宛先に応じて上位網側にデータを転送する。逆に、制御部２０２は、上位網側から受信するデータを時分割多重して、ＯＮＵ１０３側に送信する。また、制御部２０２は、通信帯域を要求する認証済のＯＮＵ１０３に対して他のＯＮＵ１０３と衝突しないように各ＯＮＵ１０３の送信開始時刻や送信データ量などを求める。そして、制御部２０２は、それぞれのＯＮＵ１０３に送信開始時刻や送信データ量などを通知する処理を行う。
【００２１】
上位網側通信部２０３は、インターネットなど上位網側と通信するための回路で、制御部２０２が出力する各ＯＮＵ１０３のユーザフレームを上位網側に送信する。逆に、上位網側から各ＯＮＵ１０３宛のユーザフレームを受信して、制御部２０２に出力する。
【００２２】
接続処理部２０４は、ＯＮＵ１０３が新たにＰＯＮシステム１００に接続された時に、ＯＮＵ１０３との間で論理リンクを確立する処理を行う。ここで、接続処理部２０４は、ＰＯＮ規格のＰ２ＭＰ(Point to MultiPoint)ディスカバリ機能に準拠した処理を行う。Ｐ２ＭＰディスカバリ機能は、ＯＬＴ１０１がDiscovery Gateフレームをブロードキャストで送信して、ＯＮＵ１０３から返信されるRegister Requestフレームを受信することにより、新たに接続されたＯＮＵ１０３を発見するための機能である。
【００２３】
ＤＢ２０５は、保守者などにより予め登録された接続予定のＯＮＵ１０３のＭＡＣアドレスを保持する。そして、論理リンクが確立された後、ＤＢ２０５は、ＯＮＵ１０３のＭＡＣアドレスと論理リンク識別子(ＬＬＩＤ：Logical Link IDentification)とを対応付けて記憶する。
【００２４】
認証管理部２０６は、新たに接続を要求するＯＮＵ１０３のＭＡＣアドレスが予めＤＢ２０６に登録されているか否かを判別し、ＤＢ２０６に登録されているＯＮＵ１０３を認証する。尚、認証管理部２０６は、ＤＢ２０５に登録されていないＯＮＵ１０３を認証せず、接続処理部２０４は、未認証のＯＮＵ１０３に対して論理リンクを確立する処理を行わない。
【００２５】
このようにして、ＯＬＴ１０１は、ＰＯＮシステム１００に接続されるＯＮＵ１０３が予め登録されている場合、当該ＯＮＵ１０３を認証し、認証されたＯＮＵ１０３との間で論理リンクを確立する。そして、ＯＬＴ１０１は、論理リンクが確立されたＯＮＵ１０３に対して通信帯域を割り当て、ＯＮＵ１０３は、上位網との間でユーザフレームの送受信を行うことができる。
【００２６】
図３は、ＯＮＵ１０３の一例を示す。ＯＮＵ１０３は、ＯＬＴ側通信部３０１と、制御部３０２と、ユーザ側通信部３０３と、接続処理部３０４とを有する。
【００２７】
ＯＬＴ側通信部３０１は、ＰＯＮ規格に準拠してＯＬＴ１０１と通信を行うための回路で、上り方向の送信データを予め決められた波長の光信号に変換して光カプラ１０２に接続される光ファイバに出力する。逆に、ＯＬＴ側通信部３０１は、光カプラ１０２側から下り方向の光信号を受信して、受信データを復調する。
【００２８】
制御部３０２は、ＣＰＵを有し、予め記憶されたプログラムに従って動作し、ＯＮＵ１０３全体を制御する。例えば、制御部３０２は、ＯＬＴ１０１から受信するフレームの宛先が自装置宛の場合、当該フレームをユーザ端末１０４に出力し、自装置宛ではないフレームを廃棄する。逆に、制御部３０２は、ユーザ端末１０４から受信するデータを一時的に蓄積する送信バッファを有し、送信バッファに蓄積されている送信データ量をＯＬＴ１０１に通知して、通信帯域の割り当てを受ける。そして、制御部３０２は、ＯＬＴ１０１から割り当てられた通信帯域により、送信バッファに蓄積されている送信データをＯＬＴ１０１に送信する。送信バッファに蓄積された送信データが残っている場合、ＯＮＵ１０３は、再び、ＯＬＴ１０１に通信帯域を要求する。
【００２９】
ユーザ側通信部３０３は、ユーザ端末１０４を接続するための回路を有する。ユーザ側通信部３０３は、例えば、ＬＡＮ(Local Area Network)のインターフェース回路を有する。尚、本実施形態に係るＰＯＮシステム１００は、ユーザ端末１０４をＯＮＵ１０３に接続する例を示したが、ユーザ端末１０４ではなく、ルーターやスイッチなどのネットワーク機器を接続してもよい。
【００３０】
接続処理部３０４は、ＯＮＵ１０３が新たにＰＯＮシステム１００に接続された時に、ＯＬＴ１０１との間で論理リンクを確立する処理を行う。そして、接続処理部３０４は、ＯＬＴ１０１から割り当てられたＬＬＩＤを制御部３０２に出力し、制御部３０２は、ＯＬＴ１０１から割り当てられたＬＬＩＤを用いて、ＯＬＴ１０１との通信を行う。
【００３１】
このようにして、予めＯＬＴ１０１に登録されたＯＮＵ１０３は、ＯＬＴ１０１との間で論理リンクを確立し、ＯＬＴ１０１と通信を行うことができる。尚、ＯＮＵ１０３がＯＬＴ１０１に予め登録されている場合、当該ＯＮＵ１０３は、ＯＬＴ１０１により認証され、上位網との間でユーザフレームの送受信するための通信帯域の割り当てを受けることができる。また、ＯＮＵ１０３がＯＬＴ１０１に登録されていない場合、当該ＯＮＵ１０３は、ＯＬＴ１０１との間で論理リンクが確立されないので、上位網との間でユーザフレームの送受信するための通信帯域の割り当てを受けることができない。
【００３２】
図４は、比較例として、ＯＬＴ１０１とＯＮＵ１０３との間で論理リンクを確立する処理の一例を示す。尚、図４は、ＰＯＮシステム１００に新たにＯＮＵ１０３が接続された後の処理を示す。
【００３３】
ステップＳ１０１において、ＯＬＴ１０１は、ＯＮＵ１０３にDiscovery Gateフレームを送信する。Discovery Gateフレームは、予め決められた間隔で周期的に送信されるブロードキャストフレームで、ＰＯＮシステム１００に接続されている全てのＯＮＵ１０３で受信される。
【００３４】
ステップＳ１０２において、Discovery Gateフレームを受信したＯＮＵ１０３は、他のＯＮＵ１０３との衝突を回避するためにランダムに決定される時間(Random Delay)の経過後に、Register RequestフレームをＯＬＴ１０１に送信する。尚、他のＯＮＵ１０３が送信するRegister Requestフレームと衝突してＯＬＴ１０１が正常に受信できなかった場合、ＯＮＵ１０３は、次のDiscovery GateフレームをＯＬＴ１０１から受信した時に、再び、登録を要求する。ここで、ＯＬＴ１０１がDiscovery Gateフレームを送信後、ＯＮＵ１０３から送信されるRegister Requestフレームを受け付ける有効期間(Discovery Window)が決められている。ＯＬＴ１０１は、Discovery Window期間内に受信したRegister Requestフレームを送信したＯＮＵ１０３からの登録要求を受け付ける。
【００３５】
ステップＳ１０３において、ＯＬＴ１０１は、Register Requestフレームの登録要求を受け付けたＯＮＵ１０３に対して、ＬＬＩＤを割り当てるRegisterフレームを送信する。Registerフレームは、ＯＮＵ１０３のＭＡＣアドレスを宛先としてＬＬＩＤの情報（例えば、ＬＬＩＤ=02など）が格納されたフレームである。
【００３６】
ステップＳ１０４において、ＯＬＴ１０１は、ステップＳ１０３でＬＬＩＤを割り当てたＯＮＵ１０３に対してGateフレームを送信する。Gateフレームは、ＯＮＵ１０３が次に送信するフレームの通信帯域をＯＮＵ１０３に割り当てるためのフレームである。ステップＳ１０４では、ＯＮＵ１０３が制御用のフレームを送信できる程度の通信帯域を割り当てている。
【００３７】
ステップＳ１０５において、ＯＮＵ１０３は、ステップＳ１０４でＯＬＴ１０１に割り当てられた通信帯域でRegister ACKフレームをＯＬＴ１０１に返信する。Register ACKフレームは、RegisterフレームによりＯＬＴ１０１が割り当てたＬＬＩＤをＯＮＵ１０３が受け取ったことを示す応答である。
【００３８】
このようにして、新たにＰＯＮシステム１００に接続されたＯＮＵ１０３は、ＯＬＴ１０１との間で論理リンクを確立する。ところが、接続が予定されていないＯＮＵ１０３ｃが接続された場合でも、ＯＬＴ１０１は、当該ＯＮＵ１０３ｃとの間で論理リンクを確立する。このため、ＯＬＴ１０１は、接続予定ではないＯＮＵ１０３ｃに対して、GateフレームとReportフレームとで通信帯域を割り当てる制御シーケンスを行うので、他のＯＮＵ１０３ａおよびＯＮＵ１０３ｂの通信帯域が狭くなるという問題が生じる。
【００３９】
図５は、本実施形態におけるＯＬＴ１０１とＯＮＵ１０３との間で論理リンクを確立する処理の一例を示す。尚、図５は、先に説明した比較例の図４に対応し、ＰＯＮシステム１００に新たにＯＮＵ１０３が接続された後の処理を示す。また、図４と同符号の処理は、図４と同一又は同様の処理を示す。図５において、ステップＳ１０１からステップＳ１０２までの処理は、図４の同符号のステップと同一又は同様である。
【００４０】
ステップＳ１５０において、ＯＬＴ１０１は、Register Requestフレームの登録要求を受け付けたＯＮＵ１０３のＭＡＣアドレスが、図２で説明したＤＢ２０５に登録されているか否かを判別する。そして、ＯＬＴ１０１は、ＤＢ２０５にＭＡＣアドレスが登録されているＯＮＵ１０３を認証する。ＯＬＴ１０１は、認証されたＯＮＵ１０３に対して、ステップＳ１０３からＳ１０５までの処理を行い、ＬＬＩＤを割り当てて論理リンクを確立する。ＯＬＴ１０１は、未認証のＯＮＵ１０３に対してはステップＳ１０３からＳ１０５までの処理を行わない。
【００４１】
このように、本実施形態に係るＯＬＴ１０１は、未認証のＯＮＵ１０３との間に論理リンクを確立しない。
【００４２】
図６は、ＯＬＴ１０１の処理の一例を示す。尚、図６に示した処理は、図２で説明した接続処理部２０４および認証管理部２０６により実行される。
【００４３】
ステップＳ２０１において、接続処理部２０４は、Discovery Gateフレームを全てのＯＮＵ１０３にブロードキャストで送信する。
【００４４】
ステップＳ２０２において、接続処理部２０４は、Discovery Window期間内に、ＯＮＵ１０３からRegister Requestフレームを受信したか否かを判別する。そして、接続処理部２０４は、Discovery Windowの期間内に、Register Requestフレームを受信した場合、ステップＳ２０３の処理に進む。また、接続処理部２０４は、Discovery Windowの期間内に、Register Requestフレームを受信しなかった場合、ステップＳ２０１で送信したDiscovery Gateフレームに対する１つのＰ２ＭＰディスカバリ処理を終了する。尚、Ｐ２ＭＰディスカバリ処理は、周期的に行われており、ステップＳ２０１からの処理が一定周期後に再び実行される。
【００４５】
ステップＳ２０３において、認証管理部２０６は、Register Requestフレームを送信したＯＮＵ１０３のＭＡＣアドレスがＤＢ２０５に登録されているか否かを判別する。認証管理部２０６は、当該ＯＮＵ１０３のＭＡＣアドレスがＤＢ２０５に登録されている場合、ステップＳ２０４の処理に進み、当該ＯＮＵ１０３のＭＡＣアドレスがＤＢ２０５に登録されていない場合、ＯＮＵ１０３の認証処理を終了する。
【００４６】
ステップＳ２０４において、接続処理部２０４は、図５で説明したように、Registerフレームを認証されたＯＮＵ１０３に送信してＬＬＩＤを割り当てる(図５のステップS103)。そして、接続処理部２０４は、ＯＮＵ１０３にGateフレームを送信して(図５のステップS104)、ＬＬＩＤの割り当てを確認したことを示す応答(Register ACKフレーム)をＯＬＴ１０１に送信する。
【００４７】
このようにして、ＯＬＴ１０１は、認証されたＯＮＵ１０３との間で論理リンクを確立する。
【００４８】
図７は、比較例として、論理リンクが確立された後の処理の一例を示す。ここで、図１において、ＯＮＵ１０３ａおよびＯＮＵ１０３ｂは、予めＯＬＴ１０１に登録されている認証ＯＮＵ１０３で、ＯＮＵ１０３ｃは、ＯＬＴ１０１に登録されていない未認証ＯＮＵ１０３であるとする。
【００４９】
ステップＳ３０１において、ＯＬＴ１０１は、ＯＮＵ１０３ａにGateフレームを送信し、ＯＮＵ１０３ａに通信帯域を割り当てる。尚、Gateフレームの前に、ＯＮＵ１０３ａは、Reportフレームにより、送信データ量をＯＬＴ１０１に通知しているものとする。
【００５０】
ステップＳ３０２において、ＯＬＴ１０１は、ＯＮＵ１０３ｂにGateフレームを送信し、ＯＮＵ１０３ｂに通信帯域を割り当てる。尚、Gateフレームの前に、ＯＮＵ１０３ｂは、Reportフレームにより、送信データ量をＯＬＴ１０１に通知しているものとする。
【００５１】
ステップＳ３０３において、ＯＬＴ１０１は、ＯＮＵ１０３ｃにGateフレームを送信し、ＯＮＵ１０３ｃに通信帯域を割り当てる。尚、リンクは確立されているがＯＬＴ１０１に登録されていない未認証のＯＮＵ１０３なので、ＯＬＴ１０１は、Reportフレームなどの制御フレームを送信できる程度の通信帯域を割り当てる。
【００５２】
ステップＳ３０４において、ＯＮＵ１０３ａは、ステップＳ３０１でＯＬＴ１０１から割り当てられた通信帯域でDataフレームをＯＬＴ１０１に送信する。
【００５３】
ステップＳ３０５において、ＯＮＵ１０３ａは、Reportフレームにより、次の送信データ量をＯＬＴ１０１に通知する。
【００５４】
ステップＳ３０６において、ＯＮＵ１０３ｂは、ステップＳ３０２でＯＬＴ１０１から割り当てられた通信帯域でDataフレームをＯＬＴ１０１に送信する。
【００５５】
ステップＳ３０７において、ＯＮＵ１０３ｂは、Reportフレームにより、次の送信データ量をＯＬＴ１０１に通知する。
【００５６】
ステップＳ３０８において、ＯＮＵ１０３ｃは、ステップＳ３０１でＯＬＴ１０１から割り当てられた通信帯域でReportフレームをＯＬＴ１０１に通知する。ここで、ＯＮＵ１０３ｃは未認証のＯＮＵ１０３なので、ＯＬＴ１０１は、ＯＮＵ１０３ｃに対してDataフレームを送信する通信帯域を割り当てない。
【００５７】
このように、比較例のＰＯＮシステム１００は、ステップＳ３０３で未認証のＯＮＵ１０３ｃにGateフレームを送信し、ステップＳ３０８で未認証のＯＮＵ１０３ｃからReportフレームを受信するため、通信帯域が占有される。これにより、認証されたＯＮＵ１０３ａおよびＯＮＵ１０３ｂに割り当てる通信帯域が狭くなるという問題が生じる。
【００５８】
図８は、本実施形態に係るＰＯＮシステム１００における論理リンクが確立された後の処理の一例を示す。尚、図８は、比較例の図７に対応する。また、図８のステップＳ３０１、Ｓ３０２、Ｓ３０５およびＳ３０７は、図７と同符号の処理ステップと同一又は同様の処理を行う。
【００５９】
ステップＳ３０４ａにおいて、ＯＮＵ１０３ａは、ステップＳ３０１でＯＬＴ１０１から割り当てられた通信帯域でDataフレームをＯＬＴ１０１に送信する。
【００６０】
ステップＳ３０５において、ＯＮＵ１０３ａは、Reportフレームにより、次の送信データ量をＯＬＴ１０１に通知する。
【００６１】
ステップＳ３０６ａにおいて、ＯＮＵ１０３ｂは、ステップＳ３０２でＯＬＴ１０１から割り当てられた通信帯域でDataフレームをＯＬＴ１０１に送信する。
【００６２】
ステップＳ３０７において、ＯＮＵ１０３ｂは、Reportフレームにより、次の送信データ量をＯＬＴ１０１に通知する。
【００６３】
ここで、図８において、比較例の図７と異なる部分は、ＯＬＴ１０１が未認証ＯＮＵ１０３ｃにGateフレームを送信しないことである(ステップＳ３０３)。さらに、Gateフレームが送信されないので、ＯＮＵ１０３ｃは、Reportフレームを返信しない(ステップＳ３０８)。
【００６４】
このように、本実施形態に係るＰＯＮシステム１００は、ＯＬＴ１０１が未認証ＯＮＵ１０３ｃにGateフレームを送信する時の通信帯域と、未認証ＯＮＵ１０３ｃがＯＬＴ１０１にReportフレームを送信する時の通信帯域とを削減することができる。これにより、ＯＬＴ１０１は、削減した通信帯域を認証済のＯＮＵ１０３ａおよびＯＮＵ１０３ｂに割り当てることができる。そして、認証済のＯＮＵ１０３ａおよびＯＮＵ１０３ｂは、図８に示すように、図７の比較例よりも大きい通信帯域を使用することができ、より多くのDataフレームをＯＬＴ１０１に送信することができる。
【００６５】
このように、本実施形態に係るＰＯＮシステム１００は、未認証のＯＮＵ１０３に対して論理リンクを確立しないので、認証済みのＯＮＵ１０３に割り当てる通信帯域を増やすことができ、通信帯域の利用効率を高めることができる。
【００６６】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６７】
１００・・・ＰＯＮシステム；１０１・・・ＯＬＴ；１０２・・・光カプラ；１０３，１０３ａ，１０３ｂ，１０３ｃ・・・ＯＮＵ；１０４，１０４ａ，１０４ｂ，１０４ｃ・・・ユーザ端末；２０１・・・ＯＮＵ側通信部；２０２・・・制御部；２０３・・・上位網側通信部；２０４・・・接続処理部；２０５・・・ＤＢ；２０６・・・認証管理部；３０１・・・ＯＬＴ側通信部；３０２・・・制御部；３０３・・・ユーザ側通信部；３０４・・・接続処理部
【図１】
2015173317.tif 000003
【図２】
2015173317.tif 000004
【図３】
2015173317.tif 000005
【図４】
2015173317.tif 000006
【図５】
2015173317.tif 000007
【図６】
2015173317.tif 000008
【図７】
2015173317.tif 000009
【図８】
2015173317.tif 000010